(57)【要約】      （修正有）【課題】迅速熱循環効果を具備する冷暖扇風機を提供する。【解決手段】１つのモーター１及びカバー２を含み、カバー内側の空間内に該モーターの伝動軸１０を延設し、且つ、ファン３を設置したものであり、該モーター及びファンの間に少なくとも１つのセラミックス多孔体４を設置し、該セラミックス多孔体は一体成型により製成され、形状は四角形、円形等の任意の形状でよく、該セラミックス多孔体本体を貫通する複数の通孔４０を具備し、該通孔表面は電熱鍍膜層４１を具備する。【選択図】図１
0003113014.tif 000002
【実用新案登録請求の範囲】
【請求項１】
主に１つのモーター(1)及びカバー(2)を含み、
カバー(2)内側の空間内に該モーター(1)の伝動軸(10)を延設し、且つ、ファン(3)を設置したものであり、
その改良の特徴は、該モーター(1)及びファン(3)の間に少なくとも１つのセラミックス多孔体(4)を設置し、
該セラミックス多孔体(4)は一体成型により製成され、形状は四角形、円形等の任意の形状でよく、
該セラミックス多孔体(4)本体を貫通する複数の通孔(40)を具備し、
該通孔(40)表面は電熱鍍膜層(41)を具備し、
該電熱鍍膜層(41)は加熱目的に使用され、ファン(3)により冷たい空気を後方より吸引し、電熱鍍膜層(41)の通孔(40)に空気を通過させることにより、ファン(3)前面より設定温度の熱風を送り出すことができることを特徴とする冷暖扇風機。
【請求項２】
上記構造中、１つのセラミックス多孔体(4)が設置される時、セラミックス多孔体(4)は中央に伝動軸(10)を貫通させることができる１つの貫通孔(42)を具備し、
カバー(2)はセラミックス多孔体(4)を設置する為の適当な位置に、セラミックス多孔体(4)を固定設置する為の固定座(20)を具備することを特徴とする請求項１記載の冷暖扇風機。
【請求項３】
上記構造中、複数個のセラミックス多孔体(4)が設置される時、中央に伝動軸(10)を貫通させることができる隙間(A)を具備し、カバー(2)はセラミックス多孔体(4)を設置する為の適当な位置に、セラミックス多孔体(4)を固定設置する為の固定座(20)を具備することを特徴とする請求項１記載の冷暖扇風機。
【請求項４】
上記構造中、該モーター(1)後端に補助ファン(11)を設置することを特徴とする請求項１、２、３記載の冷暖扇風機。
【請求項５】
上記構造中、該通孔(40)の隔壁(43)の交差部の形状が円柱状(44)であることを特徴とする請求項４記載の冷暖扇風機。
【考案の詳細な説明】
【技術分野】
【０００１】
本考案は一種の扇風機の構造の改良で、特に一種の冷暖扇風機の新設計であり、迅速熱循環効果を具備し、且つ、酸素を消耗しない冷暖扇風機に関するものである。
【背景技術】
【０００２】
現在、市場において、主に４種類のヒーターが出回っているが、下記欠点がある。
１．石英管ヒーター：石英管は酸素を燃焼する為、長期間密封空間内で使用することは危険であり、又、この種のヒーターは熱がヒーター周辺に停留し、循環しない為、室内の暖房効果が悪く、
又、前面に設置される保護カバーは直接熱せられる為、温度が高くなり、不用意に触ったりすると火傷を負う危険性がある等の欠点がある。
２．オイルヒーター：熱油がフィン状管体内を循環し、フィン状管体と空気が接触し、室内の空気を暖めるしくみであり、この種のヒーターは空気燃焼或いは火傷の欠点がないものの、フィン状管体と空気の接触面積が限られ、且つ、ヒーター周辺に熱が停留し、循環しない為、暖房効果がよくないという欠点がある。
３．PTCセラミックヒーター：PTCセラミックヒーターは上記欠点がないものの、PTC材料は非常に高く、コストが抑えられないという欠点がある。
４．ハロゲンヒーター：外見が扇風機に似たハロゲンヒーターが最近市場に出回っており、上記ヒーターは左右旋回機能も具備しているが、
又、前面に設置される保護カバーは直接熱せられる為、温度が高くなり、不用意に触ったりすると火傷を負う危険性がある等の欠点がある。
【考案の開示】
【考案が解決しようとする課題】
【０００３】
従って、従来ヒーターの上記欠点を解決した構造の一種のヒーターを開発するかが、関係業界では開発目標となっている。
【０００４】
本考案者は上記課題に取り組み、関係する製品の開発及び設計に従事し、上記の目標に焦点をしぼり、研究を行ない、設計もより精密になり、試験と評価を繰り返し、ついに実用性のある本考案が完成した。
【課題を解決するための手段】
【０００５】
本考案の主な目的は一種の冷暖扇風機の新設計であり、それは主に１つのモーター(1)及びカバー(2)を含み、
カバー(2)内側の空間内に該モーター(1)の伝動軸(10)を延設し、且つ、ファン(3)を設置したものであり、
その改良の特徴は、該モーター(1)及びファン(3)の間に少なくとも１つのセラミックス多孔体(4)を設置し、
該セラミックス多孔体(4)は一体成型により製成され、形状は四角形、円形等の任意の形状でよく、
該セラミックス多孔体(4)本体を貫通する複数の通孔(40)を具備し、
該通孔(40)表面は電熱鍍膜層(41)を具備し、
該電熱鍍膜層(41)は加熱することができ、
ファン(3)により冷たい空気を後方より吸引し、
電熱鍍膜層(41)の通孔(40)に空気を通過させることにより空気が加熱され、
ファン(3)前面より設定温度の熱風を送り出すことにより、迅速熱循環効果を具備し、
【０００６】
本考案のもう１つの目的は通孔(40)の隔壁(43)の交差部の形状を直角から円柱状(44)にすることにより、構造上、上記隔壁(43)の交差部にかかる応力を緩和し、隔壁(43)の交差部が容易に断裂するのを防ぐことができる。
【考案を実施するための最良の形態】
【０００７】
本考案の構造の特徴及びその効果を以下に実施例とそれに合わせた図式及び詳細な説明を列挙し、本考案の長所を詳述する。
【０００８】
図１は本考案の冷暖扇風機の構造の実施例で、主に１つのモーター(1)及びカバー(2)を含み、
カバー(2)内側の空間内に該モーター(1)の伝動軸(10)を延設し、且つ、ファン(3)を設置したものであり、
その改良の特徴は、該モーター(1)及びファン(3)の間に少なくとも１つのセラミックス多孔体(4)を設置し、
該セラミックス多孔体(4) （図２のセラミックス多孔体の断面図参照）は一体成型により製成され（例：鋳型成型）、形状は四角形、円形等の任意の形状でよく（簡単に組み付け為に、本考案は円形である）、
該セラミックス多孔体(4)本体を貫通する複数の通孔(40)を具備し、
図３が示す如く、該通孔(40)表面は電熱鍍膜層(41)を具備し、
（電熱膜の材料は抵抗の材料となるものを使用する。例：スズ、ニクロム合金、銅-ニッケル合金(コンスタンタン(constantan)、銅-ニッケル-マンガン合金  等)、上記通孔(40)上に電熱鍍膜層(41)を形成するのは熱化学反応（高温霧化成長方法）であり、習知の技術である）
該電熱鍍膜層(41)は加熱目的に使用され、ファン(3)により冷たい空気を後方より吸引し、電熱鍍膜層(41)の通孔(40)に空気を通過させることにより、ファン(3)前面より設定温度の熱風を送り出すことができ、
該電熱鍍膜層(41)使用時、二次伝熱の必要がない為、迅速、平均、安全、且つ空気燃焼の必要がなく、熱効率が高いというメリットを有し、且つ、本考案の冷暖扇風機の設計は適当な角度の左右自動旋回設計であり、故に迅速に熱風を室内の高範囲の空間に拡散させることができる。
【０００９】
図４が示す如く、本考案の実施例は少なくとも１つのセラミックス多孔体(4)を有し(本実施例では５つのセラミックス多孔体(4)を有する)、複数個のセラミックス多孔体(4)から構成される時、中央に伝動軸(10)を貫通させることができる隙間(A)を具備し、
又、図５が示す如く、１つのセラミックス多孔体(4)が設置される時、セラミックス多孔体(4)は中央に伝動軸(10)を貫通させることができる１つの貫通孔(42)を具備し、
カバー(2)はセラミックス多孔体(4)を設置する為の適当な位置に、セラミックス多孔体(4)を固定設置する為の固定座(20)を具備する。
【００１０】
又、モーター(1)後端に補助ファン(11)を設置し、
該補助ファン(11)はファン(3)へ該部の空気を送ることができ、
且つ、モーター(1)を冷却することができる。
【００１１】
更に通孔(40)の隔壁(43)の交差部の形状を直角から円柱状(44)にすることにより、構造上、上記隔壁(43)の交差部にかかる応力を緩和し、隔壁(43)の交差部が容易に断裂するのを防ぐことができる。
【００１２】
（図６は従来のセラミックス多孔体(5)図であり、通孔(50)の隔壁(51)交差形状が直角(52)であり、上記直角(52)交差部に応力が発生しやすく、且つ、上記直角(52)交差部の構造が弱い為、上記直角(52)交差部が断裂しやすいという欠点がある。）
【００１３】
上記は本考案の考案実施例について本創作の技術及び特徴を具体に説明するもので、熟知した技術者が本創作の延長線上で修正作業を行なっても本創作の権利範囲内である。
【図面の簡単な説明】
【００１４】
【図１】本考案の組み合わせ図である。
【図２】本考案のセラミックス多孔体(4)の断面図である。
【図３】]  本考案のセラミックス多孔体(4)の局部拡大図である。
【図４】本考案の複数個のセラミックス多孔体(4)装置図である。
【図５】本考案の１つのセラミックス多孔体(4)装置図である。
【図６】従来のセラミックス多孔体(5)の断面図である。
【符号の説明】
【００１５】
本考案の符号：
1       モーター
10      伝動軸
11      補助ファン
2       カバー
20      固定座
3       ファン
4       セラミックス多孔体
40      通孔
41      電熱鍍膜層
42      貫通孔
43      隔壁
44      円柱状
A       隙間
従来の符号：
5       セラミックス多孔体
50      通孔
51      隔壁
52      直角
【図１】
0003113014.tif 000003
【図２】
0003113014.tif 000004
【図３】
0003113014.tif 000005
【図４】
0003113014.tif 000006
【図５】
0003113014.tif 000007
【図６】
0003113014.tif 000008